(57)【要約】      （修正有）【課題】倉庫等の物品収納ラックにプラスチック製パレットを変形、破損することなく安定して載置使用できる棚プレートを提供する。【解決手段】線材３が格子状に組まれて構成され、パレットが載置される棚部を備える物品収納ラックの棚部上に設置されて使用される棚プレート１で、棚部の枠、桟間の空間面に相対する面に線材３が集中配置され、棚部上に着脱可能に設置され、棚部からの位置づれ防止部７、９を持つ。【選択図】図３
0003216235.tif 000002
【実用新案登録請求の範囲】
【請求項１】
線材が格子状に組まれて構成され、パレットが載置される棚部を備える物品収納ラックの前記棚部上に設置されて使用されることを特徴とする棚プレート。
【請求項２】
前記棚部の枠、桟間の空間面に相対する面に前記線材が集中配置される請求項１記載の棚プレート。
【請求項３】
前記棚部上に着脱可能に設置される請求項１または２記載の棚プレート。
【請求項４】
前記棚部からの位置づれ防止部を持つ請求項３記載の棚プレート。
【考案の詳細な説明】
【技術分野】
【０００１】  この考案は、倉庫等の物品収納ラックに使用される棚プレートに関する。
【背景技術】
【０００２】  倉庫内等において使用される物品収納ラックには、パレットに載置された状態で各種の収納物品が載置収納される。使用されるパレットは従来木製のものであったが、最近ではプラスチックス製のものが広く用いられている。
【考案の概念】
【考案が解決しようとする課題】
【０００３】  上記プラスチックス製のパレットは、木材製のものに比して腐食しにくいので耐久性に優れるが、物品収納ラックでの棚体上への載置使用に際し、剛性に乏しいので積載荷重を受けることで変形したり、破損したりする問題が発生している。これは、ラックの桟が食い込むことによって発生し、また、物品収納ラックの棚体にパレットのコーナー部を支持する部分が無いので、コーナー部が下方に若干傾き変位し、これが繰り返されることで発生すると考えられる（図９参照）。
【課題を解決するための手段】
【０００４】  この考案は、物品収納ラックにプラスチック製パレットを変形、破損することなく安定して載置使用できるようにするものである。
【０００５】  この考案では、線材が格子状に組まれて構成され、パレットが載置される棚部を備える物品収納ラックの前記棚部上に設置されて使用されることを特徴とする棚プレートを提供する。
【０００６】  棚プレートが物品収納ラックの棚部上に設置されることで、棚部における枠、桟間の空間エリアに棚プレートの線材が位置するので、それら線材によりプラスチックス製パレットの底部が平面的に支持され桟が食い込むことがなく、底部の変形の発生が回避される。また、プラスチック製パレットを使用しない際には、棚プレートを用いることで棚部が通常の棚として各種物品の載置に用いられる。
【０００７】  棚板プレートの棚部の枠、桟間の空間面に相対する面に線材が集中配置される構成とされることで、線材数が少なく無駄の無い構成の棚プレートが安価に提供される。
【０００８】  棚板プレートが棚部上に取り外し可能に設置される構成とされることで、必要に応じてプラスチック製パレットを使用する際に取り付け使用できるとともに、既存の物品収納ラックの棚部に取り付け使用できる。とくに、棚板プレートが棚部からの位置づれ防止部を持つ構成とされることで、棚部上に前後方向、横方向へ位置づれすることなく安定して設けられる。
【考案の効果】
【０００９】  この考案の棚プレートを物品収納ラックの棚部上に使用することで、プラスチック製パレットが変形、破損することなく安定して載置できるようになる。
【図面の簡単な説明】
【００１０】
【図１】  この考案の棚プレートの実施形態の正面図
【図２】  この考案の棚プレートの実施形態の背面図
【図３】  この考案の棚プレートの実施形態の平面図
【図４】  この考案の棚プレートの実施形態の底面図
【図５】  この考案の棚プレートの実施形態の側面図
【図６】  この考案の棚プレートの実施形態の使用説明図
【図７】  この考案の棚プレートの実施形態の使用説明図
【図８】  この考案の棚プレートの実施形態の取付け構造説明図
【図９】  この考案の棚プレートの実施形態の作用説明図
【考案を実施するための形態】
【００１１】    図１〜図５はこの考案の棚プレートの実施形態の正面図、背面図、平面図、底面図、側面図である。
【００１２】  棚プレート１は、鉄製の線材３が横方向に１０本、縦方向に１７本格子状に組まれて構成され、縦方向の線材３それぞれの前端は下方に折り曲げられ、その端部それぞれを接続するように横方向に線材５が取り付けられている。横方向、縦方向の線材３はＡ〜Ｉのエリアで互いの間隔が小さくされることで集合配置されている。７、９のそれぞれは取付け金具（位置づれ防止部）で、７のそれぞれは最前位置の横方向の線材３と補助線材１１との裏面に固着され、９のそれぞれは外側から２本目、３本目の縦方向の線材３の裏面に固着されて設けられている。
【００１３】  棚プレート１は、図６、図７に示すように、多段積み重ねタイプの物品収納ラック２０の棚部２２上に設置されて使用される。棚プレート１は上方から棚部２２に載置され、図８に示すように、取付け金具７それぞれの係止縁８と縦方向の線材３それぞれの前端の折り曲げ部４との間部が収納ラック２０の前枠２４に嵌着され、取付け金具９それぞれの外端の係止縁が収納ラック２０の側枠２６の内側面に当接されることで取り付けられる。このように取り付けられることで、棚プレート１は棚部２２上に前後方向、横方向へ位置づれすることなく安定して設けられる。
【００１４】  棚プレート１が設置された状態において、物品収納ラック２０の棚部２２における前枠２４、両側枠２６、後枠２８、縦横方向の桟３０によって囲まれるａ〜ｉのエリアが棚プレート１のＡ〜Ｉのエリアに相対する。これにより、従来においては、図９に点線で示すように、ａ〜ｉのエリアにおいてプラスチック製パレット１００の底部への桟３０の食い込みに伴って変形が発生したが、Ａ〜Ｉのエリアに集合配置されている線材３によりプラスチック製パレット１００の底部が平面的に支持され桟３０が食い込むことなく、これにより、変形の発生が回避される。また、プラスチック製パレット１００を使用しない際には、棚プレート１を用いることで棚部２２が通常の棚として各種物品の載置に用いられる。
【００１５】  棚プレート１のＡ〜Ｉ以外のエリアでは棚部２２の桟３０がプラスチック製パレット１００の下部に位置するので変形の恐れはなく、それらエリアに線材３を配置しないことで線材数を少なくできて棚プレート１が安価に提供できる。また、棚プレート１を着脱取付け構造とすることで、必要に応じてプラスチック製パレット１００を使用する際に取り付け使用できるとともに、既存の物品収納ラックに取り付け使用できる。
【符号の説明】
【００１６】１      物品収納ラック
３      線材
７      取付け金具（位置づれ防止部）
９      取付け金具（位置づれ防止部）
２０    物品収納棚
２２    棚部
１００  プラスチック製パレット
【図１】
0003216235.tif 000003
【図２】
0003216235.tif 000004
【図３】
0003216235.tif 000005
【図４】
0003216235.tif 000006
【図５】
0003216235.tif 000007
【図６】
0003216235.tif 000008
【図７】
0003216235.tif 000009
【図８】
0003216235.tif 000010
【図９】
0003216235.tif 000011